(57)【要約】【課題】外気又は内気の吸引により発生する騒音を防止できる内外気導入装置を提供する。【解決手段】内外気導入装置１は、ハウス内の暖房機１００に設置可能な筐体１０と、筐体１０の一面側に設けられた外気用筒部３０と、筐体１０の他面側に設けられ、外気用筒部３０と対峙する方向に延びている内気用筒部４０と、外気用筒部３０及び内気用筒部４０にそれぞれ設けられたシャッタ５０、６０と、外気用筒部３０及び内気用筒部４０の内壁面に設けられ、内部に空気層を有する吸音手段３５と、を備える。【選択図】図４
2018057357.tif 000002
【特許請求の範囲】
【請求項１】
ハウス内の暖房機に設置可能な筐体と、
前記筐体の一面側に設けられた外気用筒部と、
前記筐体の他面側に設けられ、前記外気用筒部と対峙する方向に延びている内気用筒部と、
前記外気用筒部及び前記内気用筒部にそれぞれ設けられたシャッタと、
前記外気用筒部及び前記内気用筒部の内壁面に設けられ、内部に空気層を有する吸音手段と、
を備える内外気導入装置。
【請求項２】
前記外気用筒部又は前記内気用筒部の内壁面に取り付けられた複数の整流板を備える、
請求項１に記載の内外気導入装置。
【請求項３】
前記整流板は、長手方向の両端部に切欠きが設けられており、
前記切欠きは、前記外気用筒部の内壁面に突設された止め具に着脱自在である、
請求項２に記載の内外気導入装置。
【請求項４】
前記整流板は、短手方向の両端部にそれぞれ第１折れ片部及び第２折れ片部を備えており、
前記第１折れ片部は、空気の吸引側に設けられ、前記整流板の本体部に対して下向きに折り曲げられ、前記第２折れ片部は、空気の送出側に設けられ、前記整流板の本体部に対して上向きに折り曲げられている、
請求項２又は３に記載の内外気導入装置。
【請求項５】
前記整流板は、前記外気用筒部の内部に上下方向に複数並べて配置されており、
２つの隣接する前記整流板のうち下側の前記整流板の前記第１折れ片部と、上側の前記整流板の前記第２折れ片部とは、同一の水平面上に配置されている、
請求項４に記載の内外気導入装置。
【請求項６】
前記外気用筒部又は前記内気用筒部と前記筐体との接続部に設けられ、表面に吸音材を有する気流偏向板を備える、
請求項１から５のいずれか１項に記載の内外気導入装置。
【請求項７】
前記外気用筒部は、前記ハウス内に設置されたとき前記ハウスの壁面から外部に突出するように延びている、
請求項１から６のいずれか１項に記載の内外気導入装置。
【請求項８】
前記内外気導入装置は、前記ハウス内に設置された暖房機上に設置されるように構成され、
前記暖房機は、燃焼釜と、前記燃焼釜に設けられたバーナと、前記バーナに空気を供給するファンと、前記燃焼釜に繋げられた複数の放熱パイプと、を備える、
請求項１から７のいずれか１項に記載の内外気導入装置。
【発明の詳細な説明】
【技術分野】
【０００１】
本発明は、ハウスに設置される内外気を活用する内外気導入装置、特に、暖房運転時等における内気循環と外気の活用を図る外気導入とを行う内外気導入装置に関する。
【背景技術】
【０００２】
ハウス内の高温時の弊害を防止し、省エネを実現するために、ハウス内に外気を取り入れる方法（外気導入方法、外気導入強制換気法）が行われている。ハウス内へ外気を導入することにより、高温時の弊害を回避して、収量の増加、不良果発生の低減、品質の向上等を実現できる。また、ハウス内の温度ムラの解消、空気の効率的な加温のために、ハウスの内気を循環させる方法も行われている。
【０００３】
従来、ハウス内への外気の導入とハウスの内気の循環とを実施できる吸気装置が知られている。例えば、特許文献１には、ハウス内に設けられた筒状の本体と、本体内に設けられたファンと、本体の吸気側に設けられた屋外側フードと、本体に設けられ、ファンの風上側に配置された開口と、を備える吸気装置が開示されている。特許文献１の吸気装置は、屋外側フードからの外気と開口からの内気とを混合してハウス内に供給することにより、ハウス内の作物における低温障害の発生を回避できる。また、特許文献２には、外気吸込み用シャッタと内気吸込み用シャッタとを備える大型の空調機が開示されている。
【先行技術文献】
【特許文献】
【０００４】
【特許文献１】特開平５−２８４８６０号公報
【特許文献２】特開２０１２−１５２１７６号公報
【発明の概要】
【発明が解決しようとする課題】
【０００５】
しかし、特許文献１の吸気装置は、屋外側フードが下方から吸引した外気の流れを急に偏向して水平方向に放出しているため、騒音が発生するおそれがある。また、特許文献２の空調機は、電動シャッタを通過した内気又は外気を直接ファンに供給しているため、内気又は外気の吸い込みに伴い騒音が発生するおそれがある。
【０００６】
本発明は、このような背景に基づいてなされたものであり、外気又は内気の吸引により発生する騒音を防止できる内外気導入装置を提供することを目的とする。
【課題を解決するための手段】
【０００７】
上記目的を達成するために、本発明に係る内外気導入装置は、
ハウス内の暖房機に設置可能な筐体と、
前記筐体の一面側に設けられた外気用筒部と、
前記筐体の他面側に設けられ、前記外気用筒部と対峙する方向に延びている内気用筒部と、
前記外気用筒部及び前記内気用筒部にそれぞれ設けられたシャッタと、
前記外気用筒部及び前記内気用筒部の内壁面に設けられ、内部に空気層を有する吸音手段と、
を備える。
【０００８】
前記外気用筒部又は前記内気用筒部の内壁面に取り付けられた複数の整流板を備えていてもよい。
【０００９】
前記整流板は、長手方向の両端部に切欠きが設けられており、
前記切欠きは、前記外気用筒部の内壁面に突設された止め具に着脱自在であってもよい。
【００１０】
前記整流板は、短手方向の両端部にそれぞれ第１折れ片部及び第２折れ片部を備えており、
前記第１折れ片部は、空気の吸引側に設けられ、前記整流板の本体部に対して下向きに折り曲げられ、前記第２折れ片部は、空気の送出側に設けられ、前記整流板の本体部に対して上向きに折り曲げられていてもよい。
【００１１】
前記整流板は、前記外気用筒部の内部に上下方向に複数並べて配置されており、
２つの隣接する前記整流板のうち下側の前記整流板の前記第１折れ片部と、上側の前記整流板の前記第２折れ片部とは、同一の水平面上に配置されていてもよい。
【００１２】
前記外気用筒部又は前記内気用筒部と前記筐体との接続部に設けられ、表面に吸音材を有する気流偏向板を備えていてもよい。
【００１３】
前記外気用筒部は、前記ハウス内に設置されたとき前記ハウスの壁面から外部に突出するように延びていてもよい。
【００１４】
前記内外気導入装置は、前記ハウス内に設置された暖房機上に設置されるように構成され、
前記暖房機は、燃焼釜と、前記燃焼釜に設けられたバーナと、前記バーナに空気を供給するファンと、前記燃焼釜に繋げられた複数の放熱パイプと、を備えていてもよい。
【発明の効果】
【００１５】
本発明によれば、外気用筒部及び内気用筒部の内壁面に設けられ、内部に空気層を有する吸音手段を備えているため、外気又は内気の吸引により発生する騒音を防止できる内外気導入装置を提供できる。
【図面の簡単な説明】
【００１６】
【図１】本発明の実施の形態に係る内外気導入装置の正面図である。
【図２】本発明の実施の形態に係る内外気導入装置の背面図である。
【図３】本発明の実施の形態に係る内外気導入装置の平面図である。
【図４】本発明の実施の形態に係る内外気導入装置の右側面図である。
【図５】本発明の実施の形態に係る内外気導入装置の左側面図である。
【図６】本発明の実施の形態に係る外気用筒部の断面図であって、（ａ）は空気層の厚さが小さい場合の様子、（ｂ）は空気層の厚さが大きい場合の様子を示す断面図である。
【図７】本発明の実施の形態に係る整流板の側面図であって、（ａ）は右側面図、（ｂ）は左側面図である。
【図８】本発明の実施の形態に係る吸音材を備える整流板の側面図であって、（ａ）は右側面図、（ｂ）は左側面図である。
【図９】本発明の実施の形態に係る止め具を示す図であって、（ａ）は整流板の取り付け前、（ｂ）は整流板の取り付け後を示す図である。
【図１０】本発明の実施の形態に係る内外気導入装置の右側面図であって、気流偏向板を傾斜させて配置した様子を示す図である。
【図１１】本発明の実施の形態に係る内外気導入装置の左側面図であって、気流偏向板を傾斜させて配置した様子を示す図である。
【図１２】本発明の実施の形態に係る制御盤のブロック図である。
【図１３】本発明の実施の形態に係る内外気導入装置とハウスの妻面との関係を示す図である。
【図１４】本発明の実施の形態に係る内外気導入装置をハウス内に設置した様子を示す図である。
【図１５】（ａ）はカビが発生したトマト、（ｂ）は萎凋病が発生したトマトを示す図である。
【図１６】（ａ）は野菜の生育・生理に及ぼす高温の影響、（ｂ）は高温ストレス、耐暑性の評価法を示す図である。
【図１７】強烈な赤外線及び紫外線がハウス内の作物に影響を与える様子を示す図である。
【図１８】強制換気装置の設置前の相対湿度と、強制換気装置の設置後の相対湿度とを比較したグラフである。
【図１９】（ａ）は強制換気の有無とトマトの収量及び不良果発生率を、（ｂ）は強制換気の有無とトマトの糖度、酸含量及び果実硬度を示す図である。
【図２０】ＣＯ２濃度条件ごとのイチゴの光−光合成曲線のグラフを示す図である。
【発明を実施するための形態】
【００１７】
以下、図面を参照しながら、本発明の実施形態に係る内外気導入装置すなわち内外気導入によるハウス環境制御装置について説明する。各図面においては、同一または同等の部分に同一の符号を付している。
【００１８】
本実施の形態においては、水平面上にあって内外気導入装置が外気を導入する（吸い込む）方向をＸ軸方向、水平面上にあってＸ軸に垂直な方向をＹ軸方向、Ｘ軸及びＹ軸に垂直な方向をＺ軸方向とする直交座標系を使用する。また、本実施の形態においては、「空気」は、ハウス外の外気及びハウス内の内気の両方を含むものとする。
【００１９】
（実施の形態）
図１〜図５を参照しながら、実施の形態に係る内外気導入装置１の全体的な構成について説明する。図１は、内外気導入装置１の正面から観察した様子を示し、図２は、内外気導入装置１を背面から観察した様子を示す。図３は、内外気導入装置１を上方から観察した様子を示す。図４は、内外気導入装置１の右側面側を観察した様子を示し、図５は、内外気導入装置１の左側面側を観察した様子を示す。
【００２０】
内外気導入装置１は、ハウス内への外気の導入とハウス内の内気の循環とを選択的に行う装置である。内外気導入装置１は、導入した外気をハウス内に供給し、外気と内気とを混合してハウス内に供給し、ハウス内で空気を循環させるように構成されている。
【００２１】
内外気導入装置１は、筐体１０と、ファン２０と、外気用筒部３０（筐体１０からハウスの妻面方向すなわち−Ｘ方向に向かって延びる空気用筒部）と、内気用筒部４０（筐体１０からハウスの内面方向すなわち＋Ｘ方向に向かって延びる空気用筒部）と、外気シャッタ５０と、内気シャッタ６０と、を備える。ファン２０は、他の機器に付設した内外気導入装置１の付帯部品であるが、他の機器に付設することなく筐体１０内に設けていてもよい。
【００２２】
筐体１０は、図１〜図５に示すように、暖房機１００上で、暖房機１００の中心に配置された立方体形状の部材であって、内部に部屋（空間）を有する。また、筐体１０は、暖房機１００の上に別体形態、一体形態、又は後付け形態等で設置可能である。暖房機１００の上面に付設したファン２０を利用して、部屋に内気や外気を導入するとともに、このファン２０の押し込み力で、導入した空気（吸引した空気）を下方に供給する。即ち、実施の形態では、暖房機１００を有効利用する。
【００２３】
筐体１０には、例えば、ハウスの外部から直接外気を取り入れる外気用筒部３０が設けられている。外気用筒部３０は、筐体１０から離れるように延びている。また、筐体１０は、ハウスの内気を取り入れる内気用筒部４０が設けられている。内気用筒部４０は、筐体１０から外気用筒部３０が延びる方向とは反対方向に延びている。このように、外気用筒部３０と内気用筒部４０は、筐体１０を挟んで対峙するように配置されている。
【００２４】
なお、図示しないが、外気用筒部３０は、ハウス内で開口され、ビニール膜を開放した状態で外気を導入するように構成してもよい。すなわち、外気用筒部３０の開口部は、ハウスの内部又は外部のいずれに設置してもよい。
【００２５】
外気用筒部３０の内部には、外気用筒部３０の吸引口（外気吸い込み開口）を開閉する外気シャッタ５０が設けられている。また、内気用筒部４０の内部には、内気用筒部４０の吸引口（内気吸い込み開口）を開閉する内気シャッタ６０が設けられている。
【００２６】
次に、内外気導入装置１の各構成について説明する。まず、筐体１０について説明する。筐体１０は、上面部１１、側面部１２、底面部１３を備えている。上面部１１、側面部１２、底面部１３は、いずれも長方形の板状部材から構成されている。側面部１２は、上面部１１の側端部から下方に向かって延びている。側面部１２は、互いに隣接する側端部が互いに固定され、４つの側面部１２が全体として枠状体を構成している。底面部１３の側端部は、側面部１２の下端部に固定されている。
【００２７】
側面部１２は、外気用筒部３０の基端部が取り付けられ、外気用筒部３０にて吸引された外気を受け入れる開口１４を備えている。また、外気用筒部３０が取り付けられる側面部１２に対向する側面部１２は、開口１５を備えている。開口１５は、内気用筒部４０の基端部が取り付けられ、内気用筒部４０にて吸引された内気を受け入れる。
【００２８】
底面部１３は、外気用筒部３０及び内気用筒部４０が導入した空気を下方に供給するために２つの開口１６を備えている。底面部１３には、その上面に下方に空気を供給する２つのファン２０が設置されている。底面部１３は、暖房機１００の上面部に設置され、ファン２０は暖房機１００に吸気を供給するように構成されている。
【００２９】
図３は、内外気導入装置１を上方から観察した図であって、上面部１１の背面側にある開口１６及びファン２０を点線で示している。図３に示すように、ファン２０は、筐体１０の開口１６の位置に合わせて底面部１３に設置されている。ファン２０は、その回転により付勢された空気が筐体１０の開口１６を通って暖房機１００に供給されるように構成されている。ファン２０は、その回転軸が図示しないモータに回転可能に接続されている。モータは、制御盤９０の指示に基づいて回転を制御される。
【００３０】
次に、外気用筒部３０について説明する。外気用筒部３０は、ハウスの外側から外気を取り入れる筒状の部材である。外気用筒部３０は、筐体１０の側面部１２に設けられた開口１４に取り付けられ、側面部１２から離れるようにＸ軸方向に延びている。外気用筒部３０は、ハウス内の所定の位置に設置されたとき、先端部がハウスの妻面（壁面を含む）の内側に留まるように構成されてもよく、ハウスの妻面（壁面を含む）に取り付けられ、先端部がハウスの外部に突出するように構成してもよい。
【００３１】
図４、図５に示すように、外気用筒部３０は、上面部３１、側面部３２、底面部３３を備えており、吸い込み方向に垂直な断面が長方形に形成されている。外気用筒部３０の先端部は、ハウス外の外気を取り入れる吸引口である。外気用筒部３０は、吸引口から筐体１０の開口１４に向かう流路を形成している。このため、外気用筒部３０の吸引口から取り入れられた外気は筐体１０の内部に向かって流れ込む。
【００３２】
外気用筒部３０の内部には、吸音手段３５が設けられている。吸音手段３５は、外気用筒部３０の内壁面３０ａを覆うように設けられ、外気の吸い込みにより発生する騒音を吸収する。以下、図６（ａ）、（ｂ）を参照して、外気用筒部３０の内部に設けられた吸音手段３５について説明する。
【００３３】
図６（ａ）は、いずれも外気用筒部３０のＸＺ平面にて切断した断面図である。吸音手段３５は、全体として内部に外気の吸込み通路３６を備え、横断面（ＹＺ平面）が矩形状の筒状体である。吸音手段３５は、三層構造であって、外側にある吸音材３５ａと、吸音材３５ａに隣接する空気層３５ｂと、内側に配置され、吸音材３５ａと共に空気層３５ｂを挟み込む吸音材３５ｃと、を備える。吸音材３５ａ、３５ｃ及び空気層３５ｂは、図示しないフレーム又は被覆材により囲まれており、一体となるように固定されている。吸音材３５ａ、３５ｃは、例えば、アルミニウム等の金属材料又はウレタン等の樹脂材料のスポンジにより形成されている。吸音材３５ａ、３５ｃは、同一の材料により形成されていてもよく、互いに異なる材料により形成されていてもよい。
【００３４】
吸音手段３５の空気層３５ｂの厚みは任意である。例えば、図６（ｂ）に示すように、図６（ａ）の場合と比べて空気層３５ｂの厚みを大きくしてもよい。図６（ｂ）の場合は、図６（ａ）の場合と比較して、吸込み通路３６の断面積が減少するため、吸い込みできる外気の流量は減少するが、外気の吸い込み時に発生する騒音をより効果的に抑制できる。
【００３５】
図１〜図５に戻り、内気用筒部４０について説明する。内気用筒部４０は、ハウスの内側から内気を取り入れる筒状の部材である。内気用筒部４０は、筐体１０の側面部１２に設けられた開口１５に取り付けられ、側面部１２から離れる方向に延びている。内気用筒部４０は、外気用筒部３０と反対側を向くように筐体１０の側面部１２に設けられている。
【００３６】
内気用筒部４０は、上面部４１、側面部４２、底面部４３を備えており、吸い込み方向に垂直な断面が長方形の枠状に形成されている。内気用筒部４０の先端部は、ハウス内の内気を取り入れる吸引口である。内気用筒部４０は、吸引口から筐体１０の開口１５に向かう流路を形成している。このため、内気用筒部４０の吸引口から取り入れられた内気は筐体１０の内部に向かって流れ込む。
【００３７】
外気用筒部３０は大きく突出しているのに対し、内気用筒部４０は外気用筒部３０に比べて突出する長さが短い構造である。内気用筒部４０は、ハウス内に開口しているのに対し、暖房機１００が妻面より離れて設置されていることから、外気用筒部３０の先端部を妻面３１０に近接させ、外気を確実かつスムーズに吸い込むためである。
【００３８】
内気用筒部４０の内部にも、外気用筒部３０と同様に吸音手段３５が設けられている。内気用筒部４０の内部に設けられた吸音手段３５は、外気用筒部３０の内部に設けられた吸音手段３５と同一の構成であるため、以下の説明を省略する。
【００３９】
次に、外気シャッタ５０について説明する。図４は、外気シャッタ５０が開いている状態を示す図である。外気シャッタ５０は、外気用筒部３０の吸引口に設けられ、外気用筒部３０の吸引口を開閉可能なシャッタである。外気シャッタ５０が開いているとき、外気用筒部３０は外気を吸い込むことができるが、外気シャッタ５０が閉じられたとき、外気用筒部３０は外気を吸い込むことができない。
【００４０】
外気シャッタ５０は、シャッタ枠と、複数のフラップ５１と、開閉機構と、を備える。シャッタ枠は、断面が長方形となるように形成されている部材である。フラップ５１は、細長い板状部材である。フラップ５１は、シャッタ枠が外気用筒部３０に設置されたときＹ軸周りに回転するように、シャッタ枠の両側面部に回転可能に支持されている。フラップ５１は、全開時には外気が通り抜けるよう略水平方向に配置され、閉鎖時には互いに折り重なるように配置される。開閉機構は、複数のフラップ５１を同時に開閉する。開閉機構は、図示しないモータの回転により複数のフラップ５１を開閉するよう構成されている。開閉機構を駆動するモータは、制御盤９０により回転を制御される。
【００４１】
図５は、内気シャッタ６０が開いている状態を示す図である。内気シャッタ６０は、内気用筒部４０の吸引口に設けられ、内気用筒部４０の吸引口を開閉可能なシャッタである。内気シャッタ６０が開いているとき、内気用筒部４０は内気を吸い込むことができるが、内気シャッタ６０が閉じられたとき、内気用筒部４０から内気を吸い込むことができない。内気シャッタ６０は、外気シャッタ５０と同様の構成を備えているため、その構成についての説明を省略する。
【００４２】
次に、図４、図５、図７〜図１１を参照して、外気用筒部３０の内部構造について説明する。
【００４３】
図４、図５は、内外気導入装置１の側面図であるが、理解を容易にするために、外気用筒部３０の内部にある複数の整流板７０、気流偏向板８０（気流偏向板８０は、例えば、気流上昇と、及び／又は、吸音を意図する。）を図示している。整流板７０は、外気用筒部３０の吸引口から導入した空気の気流を整えて、筐体１０の内部に供給する整流手段である。整流板７０は、外気用筒部３０の内部に上下方向に等間隔で並べて配置されている。整流板７０を外気用筒部３０の側面側から観察したとき、整流板７０は、全体として外気用筒部３０の先端部から基端部に向けて下向きに傾斜するように配置されている。
【００４４】
整流板７０は、外気用筒部３０の内部において外気シャッタ５０よりも基端側に設けられている。このため、外気シャッタ５０が開いている場合、整流板７０は外部から観察できるが、外気シャッタ５０が閉じられた場合、整流板７０は外部から隠されて観察できない。
【００４５】
気流偏向板８０は、筐体１０内で、外気の流れの偏向、及び／又は、偏向した流れの衝突、あるいは総合的な流れに起因して、発生することが想定される騒音を、軽減又は防止すると共に、外気用筒部３０の内部（筐体１０との繋目部分）、及び／又は、筐体１０の内部（入口部位）を流れる外気を、ファン２０（ケーシング２０００）に向かってスムーズに送り込む利点がある。気流偏向板８０は、筐体１０と外気用筒部３０との接続部に設置されることが望ましいが、これに限定されない。以下、整流板７０、気流偏向板８０の構造について説明する。
【００４６】
まず、整流板７０について説明する。図７は、整流板７０の側面図であって、（ａ）は右側面、（ｂ）は左側面を観察した様子を示す。整流板７０は、平板状の本体部７１と、本体部７１の長手方向に対向する両端部に設けられ、下向きに延びている第１側面部７２、第２側面部７３と、本体部７１の短手方向に対向する両端部に設けられ、本体部７１に対して折れ曲がっている第１折れ片部７４、第２折れ片部７５を備える。
【００４７】
本体部７１は、外気用筒部３０の吸引口から吸い込まれた気流を先端部から基端部に向けて下向きに傾斜する方向に整流する部材である。本体部７１の幅方向の寸法は、外気用筒部３０の幅方向の寸法とほぼ同一である。
【００４８】
第１側面部７２、第２側面部７３は、整流板７０を外気用筒部３０の側面部３２に固定する部材である。第１側面部７２、第２側面部７３は、本体部７１の幅方向の両端部から延びた部分を下向きに９０°折り曲げて形成されている。このため、整流板７０の横断面は全体としてコの字に形成されている。
【００４９】
第１側面部７２及び第２側面部７３は、下端部の先端側及び基端側に１つずつ略Ｕ字型の切欠き７６を備えている。切欠き７６は、外気用筒部３０の側面部３２から突出している止め具に係止可能に構成されている。このため、整流板７０は、外気用筒部３０の内壁面３０ａに対して着脱自在である。
【００５０】
第１折れ片部７４、第２折れ片部７５は、外気用筒部３０を流れる気流が本体部７１により急に偏向され、整流板７０の表面から剥離することを防ぐ部材である。第１折れ片部７４は、外気用筒部３０の先端側に設けられ、本体部７１を水平状態にしたとき、下向きになるよう折り曲げられている。また、第２折れ片部７５は、外気用筒部３０の基端側に設けられ、本体部７１を水平状態にしたとき、上向きになるよう折り曲げられている。
【００５１】
整流板７０を外気用筒部３０の内部に取り付けたとき、本体部７１は先端部から基端部に向かって下向きに傾斜し、第１折れ片部７４及び第２折れ片部７５は、外気用筒部３０の底面部３３に平行となるように配置される。また、図４に示すように、上下に隣接する２つの整流板７０に着目すると、下側の整流板７０の第１折れ片部７４は、上側の整流板７０の第２折れ片部７５と同一の水平面Ｐ上に位置するよう配置される。水平面Ｐは、外気用筒部３０の底面部３３の内底面に平行である。
【００５２】
図８は、外気の吸い込みに伴い発生する騒音を吸収する吸音材７７を表面に備える整流板７０の側面図であって、（ａ）は右側面、（ｂ）は左側面を観察した様子を示す。整流板７０は、図７に示すように吸音材７７を備えていなくてもよく、図８に示すように少なくとも表面に吸音材７７を備えていてもよい。吸音材７７は、例えば、吸音材３５ａ、３５ｃと同一の材料、又は他の吸音可能な材料から形成されていてもよい。
【００５３】
図９は、外気用筒部３０を正面から観察した図の一部を拡大した図であって、（ａ）は整流板７０の取り付け前、（ｂ）は整流板７０の取り付け後を示す。外気用筒部３０の側面部３２は、整流板７０を着脱自在に固定する複数の止め具３４を備えている。止め具３４は、側面部３２の内側面に設けられ、側面部３２の内側面から内側に向かって突出するよう構成されている。止め具３４は、整流板７０の取り付け位置に合わせて、両側面部３２の先端側と基端側に設けられている。図９（ａ）では、上側の止め具３４は先端側（手前側）に、下側の止め具３４は基端側（奥側）に設けられている。整流板７０を止め具３４に係止できるよう、吸音手段３５には止め具３４とその周辺を外部に露出するための空間が設けられている。
【００５４】
止め具３４は、ボルトと、ボルトに締結されたナットから構成されている。ボルトは、側面部３２に設けられた貫通孔に側面部３２の外側から内側に向かって挿通される。ナットは、側面部３２の内側から突出したボルトのネジ部に締結され、ボルトとナットを側面部３２に固定している。
【００５５】
整流板７０の第１側面部７２、第２側面部７３の先端部及び基端部に設けられた切欠き７６は、外気用筒部３０の両側面部３２の先端部及び基端部に設けられた止め具３４に係止される。図９（ｂ）に示すように、切欠き７６が止め具３４に係止されるように整流板７０を外気用筒部３０に取り付けると、止め具３４は外気用筒部３０の内部に整流板７０を傾斜した状態で保持する。
【００５６】
次に、気流偏向板８０について説明する。図４、図５に戻り、筐体１０と外気用筒部３０との接続部には、騒音を吸収し、気流を調整する気流偏向板８０が設けられている。より詳細に説明すると、気流偏向板８０は、外気用筒部３０の基端部の下側、又は、筐体１０の開口１４の下側に固定されている。気流偏向板８０は、例えば、エラストマー、ゴム、樹脂材料等から形成されている。
【００５７】
気流偏向板８０の表面には、外気の吸い込みに伴い発生する騒音を吸収する吸音材８１が接着剤等により固定されている。吸音材８１は、例えば、前述の吸音材３５ａ、３５ｃと同一の材料、又は他の吸音可能な材料から形成されている。気流偏向板８０は、筐体１０と外気用筒部３０との接続部において吸音材８１が外気用筒部３０の側に向くように設けられている。
【００５８】
図４、５においては、気流偏向板８０は、外気用筒部３０と筐体１０との接続部に、外気用筒部３０の一方の側壁から他方の側壁までＹ軸方向に延び、外気用筒部３０の内壁面３０ａの底面からＺ軸方向に立設している。
【００５９】
上記のとおり構成されているため、気流偏向板８０は、外気用筒部３０に水平方向に吸い込まれた外気が下向きへと曲がりながら筐体１０の内部に吸引される際に、筐体１０の内部における外気の流れ、ファン２０の回転等によって発生する騒音を遮断する。また、気流偏向板８０は、外気用筒部３０の底面部３３に沿って流れる気流を上方に向けて抑揚させ、ファン２０のケーシング２０００に設けられた開口２０００ａに向かってジャンプするように誘導する。このように、気流偏向板８０は、筐体１０にて発生する騒音を遮断し、外気用筒部３０が取り込んだ外気をファン２０に向けて誘導するため、内外気導入装置１の作動に伴い発生する騒音を抑制できる。
【００６０】
図１０、図１１は、外気用筒部３０と筐体１０との接続部に設けられた気流偏向板８０を傾斜して配置した例を示す。図１０、図１１に示すように、気流偏向板８０は、外気用筒部３０と筐体１０との接続部に、外気用筒部３０の一方の側壁から他方の側壁までＹ軸方向に延び、外気用筒部３０の底面から外気用筒部３０と筐体１０との接続部に向かって斜め上方に傾斜するように設けてもよい。
【００６１】
筐体１０と外気用筒部３０との接続部だけでなく、筐体１０と内気用筒部４０との接続部にも気流偏向板８０が設けられている。筐体１０と内気用筒部４０との接続部に設けられた気流偏向板８０は、筐体１０と外気用筒部３０との接続部に設けられた気流偏向板８０と同一の構成であるため、以下の説明を省略する。
【００６２】
図１２は、制御盤９０の構成を示すブロック図である。内外気導入装置１は、ファン２０の回転、外気シャッタ５０及び内気シャッタ６０の開閉等を制御する制御盤９０をさらに備えている。図１２のブロック図に示すように、制御盤９０は、指示受付部９１、表示部９２、入出力Ｉ／Ｆ（インターフェース）９３、記憶部９４、制御部９５を備える。以下、制御盤９０の各構成について説明する。
【００６３】
指示受付部９１は、ユーザの操作を受け付ける。例えば、指示受付部９１は、ユーザが選択した動作モードを受け付ける。
【００６４】
表示部９２は、ファン２０、外気シャッタ５０、内気シャッタ６０等に関する情報を表示する。
【００６５】
入出力Ｉ／Ｆ９３は、制御部９５と外部装置との間で信号の送受信を行う。
【００６６】
記憶部９４は、ＲＡＭ（Random Access Memory）、ＲＯＭ（Read Only Memory）、ハードディスク装置、フラッシュメモリ等から構成され、制御部のワークメモリとして機能する。また、記憶部９４は、動作モード等が含まれるプログラムを記憶する。
【００６７】
制御部９５は、ＣＰＵ（Central Processing Unit）を含むプロセッサ等から構成され、ユーザに選択された動作モードに基づいて、ファン２０の回転、外気シャッタ５０及び内気シャッタ６０の開閉等を制御する。動作モードは、内気循環モード、外気導入モード、内外気混合モードを含んでいる。
【００６８】
内気循環モードは、外気シャッタ５０を閉鎖し、内気シャッタ６０を開放することにより、ハウスの内気をハウス内で循環させるモードである。内気循環モードは、例えば、ハウス内の温度が適正に保たれている場合、ハウス内の空気の温度ムラを抑制するために選択される。
【００６９】
外気導入モードは、外気シャッタ５０を開放し、内気シャッタ６０を閉鎖することにより、ハウス外の外気のみをハウス内に供給するモードである。外気導入モードは、例えば、作物に多少のストレスを与えたい場合、ハウス内の温度又は湿度が所定の閾値を超えて上昇している場合、ハウス内の炭酸ガスが不足している場合に選択される。
【００７０】
内外気混合モードは、外気シャッタ５０と内気シャッタ６０の両方を開放することにより、ハウス外の外気とハウスの内気とを所定の比率で混合してハウス内に供給するモードである。内外気混合モードは、例えば、寒冷地等において外気のみを取り込んだ場合に、急速にハウス内の空気の温度が低下すると予想されるとき、外気導入モードの代わりに選択される。
【００７１】
再び図１〜５に戻り、内外気導入装置１は、暖房機１００の上に設置され、暖房機１００と共に内外気供給システムを構成する。内外気導入装置１は、ハウス内に設置された暖房機１００の上面を密閉し、暖房機１００のファン２０を囲繞するように設けられている。内外気導入装置１は、外気用筒部３０、内気用筒部４０にて吸い込まれた空気を暖房機１００に供給するように構成されている。暖房機１００は、上面部に設けられた開口から空気を受け取り、必要に応じて空気を作物の生育に適切な温度まで加温する。暖房機１００にはハウス内に張り巡らされたダクト２００が接続されている。
【００７２】
暖房機１００は、燃焼釜と、燃焼釜に設けられたバーナと、バーナに空気を供給するバーナ用ファンと、燃焼釜につながる複数の放熱パイプと、放熱パイプで加温された空気を放出する吹出口１１０と、燃焼釜で発生した排気ガスを排気する排気口１２０と、を備える。
【００７３】
バーナは、燃料を燃焼することにより空気の加温に必要な熱を発生する。バーナ用ファンは、燃焼に必要な空気をバーナに供給する。放熱パイプは、燃焼釜で発生した熱をファン２０により供給された空気に伝達する。吹出口１１０は、ダクト２００の基端部に接続されており、放熱パイプで加温された空気をダクト２００に向けて放出する。排気口１２０は、ハウスの外部に延びる煙突の基端部に接続されており、燃焼釜にて発生した排気ガスをハウス外に排気する。
【００７４】
次に、図１３、図１４を参照して、ハウス３００内に内外気導入装置１を設置した様子について説明する。
【００７５】
図１３に示すように、内外気導入装置１は、ハウス３００内の内側に、妻面３１０に隣接するように設置される。内外気導入装置１がハウス３００内に設置されたとき、外気用筒部３０は、ハウス３００の内面３２０に向かって延び、先端部がハウス３００の妻面３１０の内側に留まるように配置されている。ハウス３００の妻面３１０には、外気用筒部３０の先端部に隣接して配置され、妻面３１０を開閉可能にするビニール膜から形成された開閉部３０１と、開閉部３０１を外側から覆い、ハウス３００内への虫の侵入を防ぐ防虫ネット３０２とが設けられている。また、開閉部３０１には、外気をハウス３００内に導入可能な外気導入用シャッタ３０３が設けられている。なお、外気用筒部３０は、ハウス３００の妻面３１０を貫通して妻面３１０に取り付けられ、ハウス３００の外部に突出するように配置してもよい。この場合、外気用筒部３０の吸引口は、ハウス３００の外部から直接外気を導入できる。また、開閉部３０１は、ビニール膜以外の材料から形成されてもよく、例えばガラス板から形成されていてもよい。
【００７６】
図１４に示すように、暖房機１００の吹出口１１０は、ハウス３００内を延びるダクト２００の基端部に接続されている。ダクト２００は、ハウス３００内を妻面３１０に沿って延びるように配置されている。そして、ダクト２００には、複数の子ダクト２１０が分岐して設けられ、供給された空気を複数の子ダクト２１０に分配するよう構成されている。子ダクト２１０は、ハウス３００内の地面に沿って延びており、複数の吹出口から作物に空気を供給するよう構成されている。
【００７７】
次に、内外気導入装置１の動作について説明する。
【００７８】
ユーザは、ハウス３００内の空気の温度、湿度、その他の条件を考慮して、内外気導入装置１の動作モードを選択する。ユーザは、制御盤９０に対して内外気導入装置１が実行すべき動作モードを指示する。
【００７９】
指示受付部９１は、動作モードに関するユーザからの指示を受け付ける。次いで、制御部９５は、指示受付部９１で受け付けた動作モードと記憶部９４に記憶されたプログラムとに基づいて、ファン２０の回転、外気シャッタ５０、内気シャッタ６０の開閉を制御する。内外気導入装置１が稼働しているとき、表示部９２は、ファン２０の回転、外気シャッタ５０、内気シャッタ６０の開閉等に関する情報を表示する。
【００８０】
内気循環モードが選択されたとき、制御部９５は、外気シャッタ５０を閉じ、内気シャッタ６０を開けることにより、内気用筒部４０からハウス３００内の内気を筐体１０に取り込む。筐体１０に取り込まれた空気は、必要に応じて暖房機１００により加温されてハウス３００内に戻される。
【００８１】
外気導入モードが選択されたとき、制御部９５は、外気シャッタ５０を開放し、内気シャッタ６０を閉じることにより、外気用筒部３０から筐体１０内に外気を導入する。筐体１０に取り込まれた外気は、必要に応じて暖房機１００により加温されてハウス３００内に供給される。
【００８２】
内外気混合モードが選択されたとき、制御部９５は、外気シャッタ５０及び内気シャッタ６０をいずれも開放することにより、外気及び内気を筐体１０に取り込み、ハウス３００内に供給する。外気シャッタ５０及び内気シャッタ６０は、開閉機構に接続されたモータの回転量に応じて、それぞれ開閉の程度を独立して調整できるように構成されている。このため、制御部９５は、外気シャッタ５０及び内気シャッタ６０の開閉の程度を調整することにより、ハウス３００内に供給される外気と内気の比率を調整できる。
【００８３】
外気導入モード又は内外気混合モードが選択され、外気用筒部３０から筐体１０に外気を導入するとき、内外気導入装置１においては、外気用筒部３０の内部には整流板７０が設けられ、筐体１０と外気用筒部３０との接続部には気流偏向板８０が設けられているため、外気の吸い込みに伴う騒音の発生を防止できる。
【００８４】
また、内外気導入装置１においては、内気循環モード、外気導入モードを選択した場合は、それぞれ内気のみ、外気のみを選択的にハウス３００内に供給するため、ハウス３００内の温度、湿度、炭酸ガス濃度等を効率よく制御できる。
【００８５】
次に、内外気導入装置１を用いてハウス３００内で作物を栽培する利点を説明する。理解を容易にするためにハウス３００内でトマトを栽培した例を例示して説明する。
【００８６】
ハウス３００内に外気を導入しない場合、及び／又は、ハウス３００内の温湿度管理を怠った場合、ハウス３００内の空気の温度や湿度が高くなる。このため、例えば、図１５に示したように、カビ、萎凋病（いちょうびょう）等の病気がトマトに発生するおそれがある。
【００８７】
図１５（ａ）は、カビが発生したトマトを示す図である。カビは、気温２０℃前後で湿度が高い場合に発生する。カビに侵されたトマトは、葉に褐色水侵状の円形病斑、果実に水侵状の病斑が生じるため、果実の収量及び品質が低下する。
【００８８】
図１５（ｂ）は、萎凋病が発生したトマトを示す図である。萎凋病は、高温時における糸状菌の活動が原因で発生する。萎凋病を発病したトマトは、葉がしおれて黄色を呈するようになり、根にも褐変が生じるため、苗の発育が衰えて果実の収量及び品質が低下する。このように、ハウス３００内の空気の温度及び湿度を適切にコントロールしなければ、トマトの果実の収量及び品質が低下する。
【００８９】
図１６（ａ）は、野菜の生育・生理に及ぼす高温の影響、図１６（ｂ）は、高温ストレス、耐暑性の評価法を示す。図１６（ａ）に示すように、高温時には、茎葉の日焼け、光合成速度の低下、生殖器官の異常、地下部の枯死等が生じる。図１６（ｂ）に示すように、高温ストレスは、細胞膜の障害を引き起こし、細胞内の成分を組織外に漏出させる。
【００９０】
図１７は、強烈な赤外線及び紫外線がハウス３００内の作物に影響を与える様子を示す。図１７に示すように、太陽光が地面に照りつけると、地面からの反射熱がハウス３００上部に向かって上昇し、ハウス３００上部が５０℃以上の高温になる。ハウス３００内の気温が５０℃以上の場合、作物の生長点にストレスがかかるため、作物の成長が抑制される。
【００９１】
ハウス３００内の温度、湿度の低下させる方法の一つとして、ハウス３００の天井部分に設けられた天窓を開放し、ハウス３００内の上部に溜まった高温・高湿度の空気を、天窓の開放、送風機の送風等によりハウス３００の外部に放出することが考えられる。しかし、ハウス３００内の自然対流又は送風機による送風に任せて換気を行うだけでは、ハウス３００内の空気の温度及び湿度を効率的に低下させることができない。
【００９２】
また、ハウス３００内に設置される従来の内外気導入装置は、例えば特許文献１の吸引装置のようにハウス３００外から外気を導入すると同時にハウス３００で内気の循環を行うように構成されている。このため、従来の内外気導入装置をハウス３００内に設置したとしても、ひとたびハウス３００内の空気の温度又は湿度が上昇すると、ハウス３００内の温度及び湿度を素早く低下させることは困難である。
【００９３】
実施の形態に係る内外気導入装置１においては、ハウス３００内の温度及び湿度が閾値よりも上昇した場合、外気用筒部３０に設けられた外気シャッタ５０を開き、内気用筒部４０に設けられた内気シャッタ６０を閉じ、ファン２０を回転させることにより、ハウス３００内に外気を効率よく導入できる。したがって、ハウス３００内の温度及び湿度を効率的に低下させ、トマトへのカビや萎凋病の発生を抑制できるため、トマトの果実の収量及び品質の向上を実現できる。
【００９４】
加えて、本発明の内外気導入装置１においては、ハウス３００内に空気を送り込むことにより、ハウス３００内に陽圧を発生させ、ハウス３００内への虫の侵入を防止できる。また、本発明の内外気導入装置１は、夏季の夜間においてハウス３００内の気温を低下させるために外気を取り入れて、ハウス３００自体を空冷により冷却できる。
【００９５】
図１８は、強制換気装置の設置前の相対湿度と、強制換気装置の設置後の相対湿度とを比較したグラフである。図１８に示すように、強制換気を行うことにより、ハウス３００内の夜間の湿度を大幅に抑制できる。このため、強制排気を行うことにより、トマト等の果実の収量及び品質の向上を実現できる。
【００９６】
図１９（ａ）は、強制換気の有無とトマトの収量及び不良果発生率を、図１９（ｂ）は、強制換気の有無とトマトの糖度、酸含量及び果実硬度を示す。図１９（ａ）に示すように、トマトの収量を増加させ、不良果発生率を抑制するには、強制換気が不可欠であることが見て取れる。また、図１９（ｂ）に示すように、トマトの糖度及び酸含量を増加させ、果実硬度を抑制し、品質を向上させるためにも、強制換気が不可欠であることが見て取れる。
【００９７】
ハウス３００内の作物の成長を促成するには、作物の光合成により消費されるＣО２を継続的にハウス３００内に供給し、ハウス３００内のＣО２濃度を所定の範囲内に維持することが不可欠である。本発明の内外気導入装置１においては、外気を選択的に導入できるため、ＣＯ２濃度を所定の範囲内に維持できる。
【００９８】
図２０は、ＣＯ２濃度条件ごとのイチゴの光−光合成曲線のグラフを示す。図２０に示すように、イチゴの場合、ＣＯ２濃度が２００ＰＰＭのとき、光合成が十分でないことが見て取れる。ハウス３００内のＣＯ２濃度を７００ＰＰＭ〜１０００ＰＰＭ程度に設定することにより、ＣО２濃度をコントロールしない場合と比べて葉野菜で２５〜３０％程度、果物で２０％程度、花きでは４０％程度の収穫増を実現できる。
【００９９】
以上説明したように、実施の形態に係る内外気導入装置１においては、外気用筒部３０及び内気用筒部４０の内壁面を覆うように内部に空気層を備える吸音手段３５が設けられている。このため、吸音手段３５が空気の吸い込みにより発生する騒音を吸収するため、空気の吸い込みに起因する騒音を軽減できる。
【０１００】
実施の形態に係る内外気導入装置１においては、整流板７０が外気用筒部３０の内部に設けられ、気流偏向板８０が外気用筒部３０と筐体１０との繋ぎ目の通路を塞ぐようにして設けられている。整流板７０及び気流偏向板８０は、導入空気の流れをコントロールして騒音を吸収するため、空気の吸い込みに起因する騒音を軽減できる。
【０１０１】
実施の形態に係る内外気導入装置１においては、外気用筒部３０及び内気用筒部４０にそれぞれ独立して開閉可能な外気シャッタ５０及び内気シャッタ６０が設けられている。このため、ハウス３００内への外気の導入とハウス３００内での内気の循環とを選択的に行うことができる。その結果として、ハウス３００内に外気を導入して、ハウス３００内の空気のＣＯ２濃度、温度を調整することにより、ハウス３００内の作物の成長が促進され、収穫量や品質の向上を実現できる。
【０１０２】
実施の形態に係る内外気導入装置１においては、整流板７０に切欠き７６を設け、外気用筒部３０に切欠き７６を着脱自在に係止する止め具３４が設けられている。このため、整流板７０を外気用筒部３０の内部に容易に着脱できるため、保守点検の作業性の向上を実現できる。
【０１０３】
実施の形態に係る内外気導入装置１においては、外気用筒部３０の内部に傾斜して配置されている整流板７０の短手方向の両端部に水平面上に延びる第１折れ片部７４及び第２折れ片部７５を設けている。このため、外気用筒部３０内の気流を穏やかに偏向できるため、気流による整流板７０の振動を抑制できる。
【０１０４】
そして、本発明はこれに限られず、以下に述べる変形も可能である。
【０１０５】
（変形例）
上記実施の形態においては、外気用筒部３０、内気用筒部４０は横断面が長方形に形成されていたが、本発明はこのようなものに限定されない。例えば、外気用筒部３０、内気用筒部４０の横断面が円形、楕円形等となるよう形成してもよい。
【０１０６】
上記実施の形態においては、外気用筒部３０、内気用筒部４０は、筐体１０にそれぞれ２つずつ設けられていたが、本発明はこのようなものに限定されない。例えば、外気用筒部３０、内気用筒部４０は、筐体１０に１つずつ設けてもよく、３つ以上設けてもよい。
【０１０７】
上記実施の形態においては、ファン２０は、筐体１０に２つ設けられていたが、本発明はこのようなものに限定されない。例えば、ファン２０は、筐体１０に１つだけ設けてもよく、３つ以上設けてもよい。
【０１０８】
上記実施の形態においては、外気シャッタ５０、内気シャッタ６０は、水平方向の軸周りに回転可能に支持された複数のフラップが上下方向に配置されるように構成されていたが、本発明はこのようなものに限定されない。外気シャッタ５０、内気シャッタ６０としては、吸引口の開閉が可能であればいかなるシャッタであってもよい。
【０１０９】
上記実施の形態においては、外気用筒部３０の内部に整流板７０を設け、筐体１０と外気用筒部３０の繋ぎ目に気流偏向板８０を設けていたが、本発明はこのようなものに限定されない。例えば、外気用筒部３０の内部に整流板７０及び気流偏向板８０のいずれか１つだけを設けるだけでも、騒音の発生をある程度抑制できる。また、内気用筒部４０に整流板７０と同様の構成を備える整流板を設けてもよい。
【０１１０】
上記実施の形態においては、整流板７０を外気用筒部３０に着脱自在に構成するために、外気用筒部３０の止め具３４と整流板７０の切欠き７６とが係止するように構成されていたが、本発明はこのようなものに限定されない。整流板７０が外気用筒部３０に着脱自在に構成されるならいかなる手段を採用してもよく、例えば、外気用筒部３０の側面部３２に設けられたフックが整流板７０の第１側面部７２、第２側面部７３の受け部に係止するように構成してもよい。
【０１１１】
上記実施の形態においては、内外気導入装置１を暖房機１００の上面部に密閉して配置していたが、本発明はこのようなものに限定されない。内外気導入装置１を暖房機１００以外の装置、例えば、冷房機、加湿機、炭酸ガス供給装置等の上面部に配置してもよい。内外気導入装置１を炭酸ガス供給装置の上面部に設置した場合、ハウス３００内のＣＯ２濃度を大気中のＣＯ２濃度（通常３６０ＰＰＭ）よりも大きくすることができる。
【０１１２】
上記実施の形態においては、ユーザが内外気導入装置１の動作モードを選択していたが、本発明はこのようなものに限定されない。例えば、内外気導入装置１にハウス３００内の空気の温度を測定する温度センサ、湿度を測定する湿度センサをハウス３００の内面等に設けておく。そして、温度センサ、湿度センサにより測定された温度、湿度のいずれかが所定の閾値よりも大きい場合、制御部９５が外気導入モードを選択し、温度センサ、湿度センサにより測定された温度、湿度のいずれかが所定の閾値よりも大きくない場合、制御部９５が内気循環モードを選択するように構成してもよい。
【０１１３】
上記変形例と関連して、ハウス３００外の外気温を測定する温度センサを設けておき、温度センサが閾値を下回った場合、制御部９５が外気導入モードを内外気混合モードに変更するように構成してもよい。
【０１１４】
上記実施の形態においては、制御盤９０がファン２０の回転、外気シャッタ５０及び内気シャッタ６０の開閉を制御していたが、本発明はこのようなものに限定されない。例えば、制御盤９０の代わりに、専用のシステムを用いてもよく、小型汎用コンピュータを用いてもよい。また、外部のコンピュータが入出力Ｉ／Ｆ９３を介してファン２０の回転、外気シャッタ５０及び内気シャッタ６０の開閉を制御するように構成してもよい。
【０１１５】
上記実施の形態においては、外気用筒部３０、内気用筒部４０の内部には、整流板７０及び気流偏向板８０のみが設けられているが、本発明はこのようなものに限定されない。例えば、外気用筒部３０、内気用筒部４０の内部に、ダンパを一基又は数基設けることで、内外及び外気の導入風量、導入ルートの変更、及び／又は、導入停止制御等を図るように構成してもよい。この場合、制御盤９０は、ダンパを外気シャッタ５０、内気シャッタ６０と一体的に制御し得るように構成してもよい。
【０１１６】
上記実施の形態においては、内外気導入装置１をハウス３００における農作物の栽培に適用する例を説明したが、本発明はこのようなものに限定されない。本発明の内外気導入装置１は、例えば、家畜の飼育施設、スポーツ施設等に適用してもよい。
【０１１７】
上記実施の形態においては、吸音手段３５が２つの吸音材３５ａ、３５ｃの間に空気層３５ｂを備える構成であったが、本発明はこれに限られない。例えば、吸音手段３５は、吸音材３５ａ、３５ｃと同一の材料から形成される吸音材のみから構成されていてもよい。
【０１１８】
上記実施の形態においては、筐体１０と内気用筒部４０との接続部に設けられた気流偏向板８０は、Ｚ軸方向に立設していたが、本発明はこれに限られない。例えば、筐体１０と内気用筒部４０との接続部に設けられる気流偏向板８０は、傾斜させて配置してもよい。
【０１１９】
なお、上記の実施形態は例示であり、本発明はこれらに限定されるものではなく、特許請求の範囲に記載した発明の趣旨を逸脱しない範囲でさまざまな実施の形態が可能である。各実施の形態や変形例で記載した構成要素は自由に組み合わせることが可能である。また、特許請求の範囲に記載した発明と均等な発明も本発明に含まれる。
【符号の説明】
【０１２０】
１      内外気導入装置
１０    筐体
１１    上面部
１２    側面部
１３    底面部
１４、１５、１６  開口
２０    ファン
３０    外気用筒部
３０ａ  内壁面
３１    上面部
３２    側面部
３３    底面部
３４    止め具
３５    吸音手段
３５ａ、３５ｃ  吸音材
３５ｂ  空気層
３６    吸込み通路
４０    内気用筒部
４１    上面部
４２    側面部
４３    底面部
５０    外気シャッタ
５１    フラップ
６０    内気シャッタ
７０    整流板
７１    本体部
７２    第１側面部
７３    第２側面部
７４    第１折れ片部
７５    第２折れ片部
７６    切欠き
７７    吸音材
８０    気流偏向板
８１    吸音材
９０    制御盤
９１    指示受付部
９２    表示部
９３    入出力Ｉ／Ｆ
９４    記憶部
９５    制御部
１００  暖房機
１１０  吹出口
１２０  排気口
２００  ダクト
２１０  子ダクト
３００  ハウス
３０１  開閉部
３０２  防虫ネット
３０３  外気導入用シャッタ
３１０  妻面
３２０  内面
２０００  ケーシング
２０００ａ  開口
Ｐ      水平面
【図１】
2018057357.tif 000003
【図２】
2018057357.tif 000004
【図３】
2018057357.tif 000005
【図４】
2018057357.tif 000006
【図５】
2018057357.tif 000007
【図６】
2018057357.tif 000008
【図７】
2018057357.tif 000009
【図８】
2018057357.tif 000010
【図９】
2018057357.tif 000011
【図１０】
2018057357.tif 000012
【図１１】
2018057357.tif 000013
【図１２】
2018057357.tif 000014
【図１３】
2018057357.tif 000015
【図１４】
2018057357.tif 000016
【図１５】
2018057357.tif 000017
【図１６】
2018057357.tif 000018
【図１７】
2018057357.tif 000019
【図１８】
2018057357.tif 000020
【図１９】
2018057357.tif 000021
【図２０】
2018057357.tif 000022